(57)【要約】【課題】低コスト化を図ることができるインキ判定装置を提供する。【解決手段】印刷機のインキつぼ１０の内部に貯留するインキ１の種類を判定するインキ判定装置であって、インキせき１５Ａの内面に形成された切欠き溝１５Ａｂとインキつぼ１０の内部との間を区切るようにインキせき１５Ａの内面に着脱可能に設けられて穴１７ａを形成されたカバー１７と、切欠き溝１５Ａｂの内部に着脱可能に配設されたＭＲセンサ１９と、ＭＲセンサ１９の検出部を包囲するようにＭＲセンサ１９に設けられた非磁性材料からなる保護部材１８と、ＭＲセンサ１９からの情報に基づいて、インキつぼ１０の内部に貯留するインキ１が磁性インキであるか否か判断する演算制御装置２０と、演算制御装置２０からの情報に基づいて、演算制御装置２０による判断結果を出力する表示器２４及び警報器２５とを備えている。【選択図】図１
2015110347.tif 000002
【特許請求の範囲】
【請求項１】
印刷機のインキつぼの内部に貯留するインキの種類を判定するインキ判定装置であって、
前記インキつぼのインキせきの内面に形成されて上下方向へ長手方向を向けると共に上端を開口させた切欠き溝と当該インキつぼの内部との間を区切るように当該インキせきの内面に着脱可能に設けられて当該インキつぼの内部と当該切欠き溝の内部とを連通させる穴を形成されたカバーと、
前記インキつぼの前記インキせきの前記切欠き溝の上端を介して当該切欠き溝の内部に着脱可能に配設された磁気抵抗素子センサと、
前記磁気抵抗素子センサの検出部を包囲するように当該磁気抵抗素子センサに設けられた非磁性材料からなる保護部材と、
前記磁気抵抗素子センサからの情報に基づいて、前記インキつぼの内部に貯留するインキが磁性インキであるか否か判断する判断手段と、
前記判断手段からの情報に基づいて、当該判断手段による判断結果を出力する出力手段と
を備えていることを特徴とするインキ判定装置。
【発明の詳細な説明】
【技術分野】
【０００１】
本発明は、印刷機のインキつぼの内部に貯留するインキの種類を判定するインキ判定装置に関する。
【背景技術】
【０００２】
証券や銀行券等の有価証券は、偽造防止のため、磁性インキで印刷されており、その磁性インキの磁気を検知することにより、真贋を確認することができるようになっている。このような磁性インキは、外観上、通常のインキと区別できなくなっている。このため、作業者が磁性インキを入れるインキつぼに通常のインキを誤って入れて印刷してしまい、高価な紙等の印刷資材を無駄にしてしまう場合があった。
【０００３】
そこで、例えば、下記特許文献１においては、特殊な磁気検出器をインキ撹拌機の先端に固定してインキつぼの内部のインキに浸漬して、当該インキの磁性を検出することにより、インキつぼの内部に貯留するインキが磁性インキであるか否か検知できるようにしている。
【先行技術文献】
【特許文献】
【０００４】
【特許文献１】特表２００４−５０７３７８号公報
【特許文献２】実公平０２−０３４０３５号公報
【発明の概要】
【発明が解決しようとする課題】
【０００５】
しかしながら、前記特許文献１に記載されている発明においては、磁気検出器をインキに浸漬させるようにインキ撹拌機等をインキつぼに必ず取り付けなければならないため、インキ撹拌機等の不要な印刷機であっても、余計な機器を装備しなければならなくなり、設備コストの上昇を招いてしまっている。
【０００６】
このようなことから、本発明は、低コスト化を図ることができるインキ判定装置を提供することを目的とする。
【課題を解決するための手段】
【０００７】
前述した課題を解決するための、本発明に係るインキ判定装置は、印刷機のインキつぼの内部に貯留するインキの種類を判定するインキ判定装置であって、前記インキつぼのインキせきの内面に形成されて上下方向へ長手方向を向けると共に上端を開口させた切欠き溝と当該インキつぼの内部との間を区切るように当該インキせきの内面に着脱可能に設けられて当該インキつぼの内部と当該切欠き溝の内部とを連通させる穴を形成されたカバーと、前記インキつぼの前記インキせきの前記切欠き溝の上端を介して当該切欠き溝の内部に着脱可能に配設された磁気抵抗素子センサと、前記磁気抵抗素子センサの検出部を包囲するように当該磁気抵抗素子センサに設けられた非磁性材料からなる保護部材と、前記磁気抵抗素子センサからの情報に基づいて、前記インキつぼの内部に貯留するインキが磁性インキであるか否か判断する判断手段と、前記判断手段からの情報に基づいて、当該判断手段による判断結果を出力する出力手段とを備えていることを特徴とする。
【発明の効果】
【０００８】
本発明に係るインキ判定装置によれば、インキつぼのインキせきの内面に形成した切欠き溝に対して、穴を形成されたカバーを着脱可能に設け、保護部材で検出部を包囲された磁気抵抗素子センサを切欠き溝の内部に着脱可能に配設したことから、インキ撹拌機等をインキつぼに備えなくても、インキつぼの内部のインキを判定することができるので、設備コストの上昇を抑えることができる。その結果、低コスト化を図ることができる。
【図面の簡単な説明】
【０００９】
【図１】本発明に係るインキ判定装置を利用した印刷機のインキつぼの主な実施形態の概略構成を表す要部平面図である。
【図２】図１のII−II線断面矢線視図である。
【図３】図１，２のＭＲセンサの概略構造図である。
【図４】図１のインキ判定装置の要部の演算制御ブロック図である。
【図５】図１のインキ判定装置の作動フロー図である。
【発明を実施するための形態】
【００１０】
本発明に係るインキ判定装置の実施形態を図面に基づいて説明するが、本発明は図面に基づいて説明する以下の実施形態のみに限定されるものではない。
【００１１】
〈主な実施形態〉
本発明に係るインキ判定装置を利用した印刷機のインキつぼの主な実施形態を図１〜５に基づいて説明する。
【００１２】
図１，２において、１１はつぼローラ、１２は分割ブレード、１３Ａ，１３Ｂは端部分割ブレード、１４は位置決め具、１５Ａ，１５Ｂはインキせき、１６は押え板である。
【００１３】
つぼローラ１１は、図示しないフレームに駆動回転可能に支持されている。分割ブレード１２は、図示しないブレード台上に前記つぼローラ１１の軸方向に沿って隣接して複数配設され、当該つぼローラ１１の周面に対して接近離反移動できるように上記ブレード台上に摺動移動可能にそれぞれ支持されている。端部分割ブレード１３Ａ，１３Ｂは、前記つぼローラ１１の軸方向で前記分割ブレード１２を間に挟むように当該つぼローラ１１の軸方向両端側に対をなすようにして配設され、当該つぼローラ１１の下寄りの周面に当接するように前記ブレード台上にそれぞれ固定支持されている。
【００１４】
位置決め具１４は、各前記分割ブレード１２に対応するように前記ブレード台上に複数設けられて当該分割ブレード１２を前記つぼローラ１１の周面に対して接近離反移動させることができるようになっている（例えば、前記特許文献２等に記載の機構参照）。インキせき１５Ａ，１５Ｂは、前記端部分割ブレード１３Ａ，１３Ｂ上に対をなすようにしてそれぞれ立設され、前記つぼローラ１１と前記ブレード１２，１３Ａ，１３Ｂとでインキを貯留できる空間を形成するように当該つぼローラ１１の端面に当接している。
【００１５】
押え板１６は、前記つぼローラ１１と前記インキせき１５Ａ，１５Ｂとで包囲される空間に接する前記ブレード１２，１３Ａ，１３Ｂ及び前記位置決め具１４の上面を覆うように配設されて当該空間内に供給されたインキの漏出を防ぐことができるようになっている。
【００１６】
このような前記つぼローラ１１、前記分割ブレード１２、前記端部分割ブレード１３、前記位置決め具１４、前記インキせき１５Ａ，１５Ｂ、前記押え板１６、前記ブレード台等により、本実施形態においてはインキつぼ１０を構成している。
【００１７】
また、前記つぼローラ１１の軸方向一方端側（図１中、右側）に位置する前記インキせき１５Ａの内面の当該つぼローラ１１側には、上下方向に沿って長手方向を向けて上端を開口させた切欠き溝１５Ａｂが形成されている。
【００１８】
つまり、前記インキせき１５Ａの前記切欠き溝１５Ａｂは、前記つぼローラ１１と前記押え板１６及び前記ブレード１２，１３Ａ，１３Ｂと前記インキせき１５Ａ，１５Ｂとで形成される空間と連通する空間、すなわち、前記インキつぼ１０の内部と連通する空間として、当該インキつぼ１０の内面の、当該インキつぼ１０の内部に貯留するインキと接する位置に形成されているのである。
【００１９】
そして、前記インキせき１５Ａの前記切欠き溝１５Ａｂ上には、当該切欠き溝１５Ａｂの内部と前記インキつぼ１０の内部との間を区切るカバー１７が着脱可能に取り付けられている。前記カバー１７には、前記インキつぼ１０の内部と前記切欠き溝１５Ａｂの内部とを連通させる穴１７ａが格子状に複数形成されている。
【００２０】
前記インキせき１５Ａの前記切欠き溝１５Ａｂの内部には、磁気抵抗素子センサ（以下「ＭＲセンサ」という。）１９が当該切欠き溝１５Ａｂの上端の開口を介して出し入れ自在に配設されており、当該ＭＲセンサ１９は、当該インキせき１５Ａの当該切欠き溝１５Ａｂの底部分で支承されている。前記ＭＲセンサ１９には、検出部を含めた表面全体を包囲するプラスチックス等の非磁性材料からなる保護部材１８が設けられている（図３参照）。
【００２１】
また、図４において、２０は演算制御装置、２０ａは中央演算処理部（ＣＰＵ）、２０ｂは読み出し専用記憶部（ＲＯＭ）、２０ｃは読み書き用記憶部（ＲＡＭ）、２０ｄはＭＲセンサ出力記憶用メモリ、２０ｅは磁性インキ判断基準値記憶用メモリ、２０ｆは入出力部（Ｉ／Ｏ）、２０ｇはインタフェイス部（Ｉ／Ｆ）である。
【００２２】
前記演算制御装置２０の前記入出力部２０ｆには、検出を開始する検出開始スイッチ２１と、検出を終了する検出終了スイッチ２２と、磁性インキの種類に対応した判断基準値を選択入力する入力器２３と、文字や画像等のＯＫ情報やＮＧ情報を発する表示器２４と、音や光等のＮＧ情報を発する警報器２５とがそれぞれ電気的に接続されると共に、前記ＭＲセンサ１９がアナログ／デジタル信号変換器２６を介して電気的に接続されている。
【００２３】
また、前記演算制御装置２０の前記インタフェイス部２０ｇは、印刷機本体の作動を制御する制御装置３０に電気的に接続している。
【００２４】
なお、本実施形態においては、前記演算制御装置２０、前記検出開始スイッチ２１、前記検出終了スイッチ２２、前記入力器２３等により、判断手段を構成し、前記表示器２４、前記警報器２５等により、出力手段を構成し、前記カバー１７、前記保護部材１８、前記ＭＲセンサ１９、前記判断手段、前記出力手段等により、インキ判定装置を構成している。
【００２５】
このような本実施形態においては、前記インキつぼ１０にインキ１を供給すると、当該インキ１が前記カバー１７の前記穴１７ａを通じて前記インキせき１５Ａの前記切欠き溝１５Ａｂ内に入り込み、前記ＭＲセンサ１９が前記保護部材１８を介して当該インキ１中に浸漬する。
【００２６】
そして、前記インキつぼ１０に供給した磁性インキの種類を入力器２３で選択入力すると共に（図５中、Ｓ１）、検出開始スイッチ２１を「入」にすると（図５中、Ｓ２）、前記演算制御装置２０は、前記アナログ／デジタル信号変換器２６を介して前記ＭＲセンサ１９からの情報に基づいてその出力を読み込んで前記メモリ２０ｄに記憶し（図５中、Ｓ３）、入力器２３で選択入力された磁性インキの種類に対応した判断基準値を前記メモリ２０ｅから読み込み（図５中、Ｓ４）、前記ＭＲセンサ１９からの出力と磁性インキ判断基準値とを比較し（図５中、Ｓ５）、前記ＭＲセンサ１９からの出力が磁性インキ判断基準値よりも大きい場合には、前記インキ１が磁性インキである（ＯＫ）と判断して、表示器２４にＯＫ情報を発する信号を出力する（図５中、Ｓ６）。
【００２７】
他方、前記演算制御装置２０は、前記ＭＲセンサ１９からの出力が磁性インキ判断基準値以下の場合には、前記インキ１が磁性インキではない（ＮＧ）と判断して、印刷機本体の作動を停止させるように前記制御装置３０に信号を出力し（図５中、Ｓ７）、表示器２４及び警報器２５にＮＧ情報を発する信号を出力する（図５中、Ｓ８）。
【００２８】
そして、検出終了スイッチ２２を「入」にすることにより（図５中、Ｓ９）、判定を終了する。
【００２９】
つまり、本実施形態では、前記インキせき１５Ａの内面の前記つぼローラ１１側に形成した切欠き溝１５Ａｂ内に前記ＭＲセンサ１９を配設するようにしたのである。
【００３０】
このため、本実施形態においては、前記特許文献１に記載されている発明のようなインキ撹拌機等をインキつぼ１０に備えなくても、インキつぼ１０の内部のインキ１を判定することができるので、設備コストの上昇を抑えることができる。
【００３１】
したがって、本実施形態によれば、低コスト化を図ることができる。
【００３２】
また、前記ＭＲセンサ１９が、前記インキせき１５Ａの前記切欠き溝１５Ａｂに上端の開口を介して出し入れ自在（着脱可能）に設けられると共に、検出部を含む表面全体に保護部材１８を設けたので、ＭＲセンサ１９の洗浄作業の容易化を図ることができ、保守点検に要する負担を大きく軽減することができる。
【００３３】
さらに、前記インキせき１５Ａの前記切欠き溝１５Ａｂに対して前記カバー１７を着脱自在に設けたので、当該インキせき１５Ａの当該切欠き溝１５Ａｂ及び当該カバー１７の洗浄作業の容易化を図ることができ、保守点検に要する負担を大きく軽減することができる。
【００３４】
〈他の実施形態〉
なお、前述した実施形態においては、前記つぼローラ１１の軸方向一方端側に位置する前記インキせき１５Ａに前記切欠き溝１５Ａｂを形成し、当該インキせき１５Ａの上記切欠き溝１５Ａｂの内部に前記ＭＲセンサ１９を配設して前記カバー１７を取り付けるようにしたが、他の実施形態として、例えば、前記つぼローラ１１の軸方向他方端側に位置する前記インキせき１５Ｂに切欠き溝を形成し、当該インキせき１５Ｂの上記切欠き溝の内部に前記ＭＲセンサ１９を配設して前記カバー１７を取り付けるようにすることも可能である。
【００３５】
また、前述した実施形態においては、前記ＭＲセンサ１９の表面全体に前記保護部材１８を設けるようにしたが、本発明はこれに限らず、ＭＲセンサの少なくとも検出部に保護部材が設けられていれば、ＭＲセンサの洗浄作業の容易化を図ることができ、保守点検に要する負担を軽減することができる。
【産業上の利用可能性】
【００３６】
本発明に係るインキ判定装置は、低コスト化を図ることができるので、印刷産業等において、極めて有益に利用することができる。
【符号の説明】
【００３７】
１  インキ
１０  インキつぼ
１１  つぼローラ
１２  分割ブレード
１３Ａ，１３Ｂ  端部分割ブレード
１４  位置決め具
１５Ａ，１５Ｂ  インキせき
１５Ａｂ  切欠き溝
１６  押え板
１７カバー
１７ａ  穴
１８  保護部材
１９  磁気抵抗素子センサ（ＭＲセンサ）
２０  演算制御装置
２０ａ  中央演算処理部（ＣＰＵ）
２０ｂ  読み出し専用記憶部（ＲＯＭ）
２０ｃ  読み書き用記憶部（ＲＡＭ）
２０ｄ  ＭＲセンサ出力記憶用メモリ
２０ｅ  磁性インキ判断基準値記憶用メモリ
２０ｆ  入出力部（Ｉ／Ｏ）
２０ｇ  インタフェイス部（Ｉ／Ｆ）
２１  検出開始スイッチ
２２  検出終了スイッチ
２３  入力器
２４  表示器
２５  警報器
２６  アナログ／デジタル信号変換器（Ａ／Ｄ）
３０  制御装置
【図１】
2015110347.tif 000003
【図２】
2015110347.tif 000004
【図３】
2015110347.tif 000005
【図４】
2015110347.tif 000006
【図５】
2015110347.tif 000007